(57)【要約】【課題】取付け枠９に凹設された嵌入溝９１に簡単に取付けられ、戸当り時の衝撃を緩和する戸当り材Ａを提供する。【解決手段】合成樹脂を一体成形して形成され、取付け枠９に凹設された嵌入溝９１に嵌着される戸当り材Ａであって、該戸当り材Ａは、戸当り部１と、該戸当り部１に連設され、上記嵌入溝９１に嵌入される左右２条の嵌入部２、３からなるとともに、各嵌入部２、３は支持脚部２１、３１と、この支持脚部２１、３１の先端部から内方に延出するアーム部２２、３２と、このアーム部２２、３２の先端からＶ字を形成するように斜めに延設された２つの傾斜片２３、３３とから構成される。【選択図】図１
2004176272.tif 000002
【特許請求の範囲】
【請求項１】
合成樹脂を一体成形して形成され、取付け枠に凹設された嵌入溝に嵌着される戸当り材であって、該戸当り材は、戸当り部と、該戸当り部に連設され、上記嵌入溝に嵌入される左右２条の嵌入部からなるとともに、各嵌入部は支持脚部と、この支持脚部の先端部から内方に延出するアーム部と、このアーム部の先端からＶ字を形成するように斜めに延設された２つの傾斜片とから構成されることを特徴とする戸当り材。
【請求項２】
上記合成樹脂がＡＢＳ樹脂である請求項１に記載の戸当り材。
【請求項３】
上記嵌入溝に予め接着剤を塗布した後、戸当り材が嵌入される請求項１に記載の戸当り材。
【請求項４】
上記取付け枠がドア取付け枠である請求項１に記載の戸当り材。
【請求項５】
上記取付け枠が引戸取付け枠である請求項１に記載の戸当り材。
【発明の詳細な説明】
【０００１】
【発明の属する技術分野】
本発明は、戸当り材に関する。さらに詳しくは、スイングドア、引戸等の取付け枠に嵌装され、戸当り時の衝撃を緩和するために設けられる戸当り材に関する。
【０００２】
【従来の技術】
例えば、建物の開口部を形成する、スイングドア、引戸等の取付け枠には、戸当り部分の長手方向に、嵌入溝が設けられ、この嵌入溝に戸当り材が嵌入されている。嵌入された戸当り材は、予め接着剤が塗布された上記嵌入溝にしっかりと接着され、戸当り時の衝撃や、そのときに発生する騒音等を緩和する。従来、上記戸当り材に関しては、多くの先行技術が知られている（例えば、特許文献１、特許文献２、特許文献３、特許文献４参照。）。
【０００３】
【特許文献１】
特開平１１−５０７４０号公報（第１−３頁、第１図、第２図）
【特許文献２】
実開平７−３５６７８号公報（第１−２頁、第１図、第５図）
【特許文献３】
特開平１０−１１５１４９号公報（第１−３頁、第１図、第２図）
【特許文献４】
特開平１０−７２９７１号公報（第１−４頁、第１図、第２図）
【０００４】
【発明が解決しようとする課題】
図４は、上記先行技術に記載の公知の戸当り材Ｂが、嵌入溝９１に嵌入された状態を示す平断面図である。図４において、公知の戸当り材Ｂは、戸当り部５と、戸当り部５に連設され、取付け枠９に凹設された嵌入溝９１に嵌着される左右２条の支持脚部６、７と、上記支持脚部６、７の先端部間に連接され平断面Ｖ字型の伸縮部８から構成され、中空の断面を持つように箱型に押出し成形されている。上記伸縮部８は、上記支持脚部６、７を嵌入溝９１に嵌入する際に、嵌入が容易となるよう、Ｖ字型部が弾性的に変形して嵌入溝９１の幅ｗが狭くなり、嵌入後は弾性反発した上記伸縮部８が支持脚部６、７を広げ、嵌入溝９１にしっかりと当接するようにされている。
【０００５】
しかしながら、戸当り材Ｂを嵌入溝９１に嵌入するように力を加えても、支持脚部６、７と伸縮部８とが全体として箱型構造をしているため、伸縮部８は容易に弾性変形しない。そこで、支持脚部６、７を、嵌入溝９１に左右に振れずに真っ直ぐに、ハンマ等道具を使用して叩き込まなければならず、手間がかかり、作業性が悪いという問題がある。本発明は、このような問題を解決するためになされたものであり、取付け枠９に凹設された嵌入溝９１に簡単に取付けられ、しかも、取付けた後は、嵌入溝９１にしっかりと嵌着し、戸当り時の衝撃を緩和することのできる戸当り材を提供することを、その課題とする。
【０００６】
【課題を解決するための手段】
上記課題を解決するために本発明は、つぎのような技術的手段を講じている。
すなわち、本発明によれば、合成樹脂を一体成形して形成され、取付け枠に凹設された嵌入溝に嵌着される戸当り材であって、該戸当り材は、戸当り部と、該戸当り部に連設され、上記嵌入溝に嵌入される左右２条の嵌入部からなるとともに、各嵌入部は支持脚部と、この支持脚部の先端部から内方に延出するアーム部と、このアーム部の先端からＶ字を形成するように斜めに延設された２つの傾斜片とから構成されることを特徴とする戸当り材が提供される。このように左右２条の嵌入部を各支持脚部と、各支持脚部から延出するアーム部およびその先端に延設される傾斜片から構成して左右別体とし、嵌入溝に嵌入すると、それぞれが独立して容易に弾性変形するため、嵌入溝に簡単に嵌入することができる。
【０００７】
上記合成樹脂としては、ＡＢＳ（アクリロニトリル、ブタジエン、スチレン共重合体）、ポリプロピレン、硬質ポリ塩化ビニル等の硬質樹脂が用いられる。中でも、強度に優れるとともに、弾性もあり、耐クリープ性に優れる等、機械的な特性がバランスしていることから、ＡＢＳ樹脂を用いることが好ましい。
【０００８】
上記嵌入溝に予め接着剤を塗布した後、戸当り材が嵌入されることが好ましい。接着剤としては特に限定されないが、硬質樹脂に対しての接着性に優れていることから、ホットメルト系接着剤を用いることが好ましい。このように接着剤を用いて嵌入するとともに、接着させるため、嵌入部を嵌入溝にしっかりと嵌着することができる。
【０００９】
上記取付け枠がドア取付け枠とされる。ドア取付け枠に凹設した嵌入溝に嵌入部を嵌着することにより、スイングドアを閉めたときの衝撃を緩和することができる。また、上記取付け枠が引戸取付け枠とされる。引戸取付け枠に凹設した嵌入溝に嵌入部を嵌着することにより、引戸を閉めたときの衝撃を緩和することができる。
【００１０】
【発明の実施の形態】
以下、本発明の好ましい実施の形態について、図面を参照して、さらに詳細に説明する。図１は、ＡＢＳ樹脂を一体成形して得られた本発明の戸当り材Ａを、取付け枠９に凹設された嵌入溝９１に嵌入した状態を示す平断面図である。図１からよくわかるように、戸当り材Ａは、戸当り部１と、戸当り部１に連設され、上記嵌入溝９１に嵌入される左右嵌入部２、３から構成される。左嵌入部２は、左支持脚部２１と、左支持脚部２１の先端部から内方に延出する左アーム部２２と、左アーム部２２の先端から斜めに延設された左傾斜片２３とからなり、同様に、右嵌入部３は、右支持脚部３１と、右支持脚部３１の先端部から内方に延出する右アーム部３２と、右アーム部３２の先端から斜めに延設された右傾斜片３３とからなり、左右の傾斜片２３、３３の先端部は互いに近接してＶ字を形成している。また、左右支持脚部２１、３１の嵌入溝９１との接触面には、左右係止爪２４、３４が形成されている。
【００１１】
つぎに、本発明の戸当り材Ａを嵌入溝９１に嵌入する動作について図を用いて説明する。図２（ａ）は、戸当り材Ａが若干斜めになった状態で嵌入溝９１に嵌入する状態を示す平断面図である。このとき、左右嵌入部２、３は独立しており、ＡＢＳ樹脂から形成された左右傾斜片２３、３３は、硬く、平滑性に富んでいるため、嵌入時に、幅方向に力が加わると、図２（ｂ）に示すように、互いに滑り、各々が弾性変形して嵌入溝９１に嵌入する。したがって、ＡＢＳ樹脂の弾性に打ち勝つだけの力を加えれば、容易に、左右嵌入部２、３を嵌入することができる。嵌入後は、図２（ｃ）に示すように、左右嵌入部２、３は、嵌入溝９１の対向する内壁と弾性反発し、かくして、戸当り材Ａは、しっかりと嵌入溝９１に嵌着される。
【００１２】
本実施形態にかかる戸当り材Ａは、予め、嵌入溝９１にホットメルト接着剤を塗布して嵌入することが好ましい。このとき、図３によく示されているように、余分の接着剤４は、左右傾斜片２３、３３が対向する隙間から、戸当り材Ａ内部の中空部に入り込むため、嵌入溝９１から外側へ溢れることなく、仕上がりが奇麗なものとなる。このように、左右嵌入部２、３は、嵌入溝９１の対向する内壁と弾接するとともに接着されるため、戸当り材Ａを、しっかりと嵌入溝９１に嵌着することができる。
【００１３】
【発明の効果】
以上述べたように、請求項１に記載の発明は、合成樹脂を一体成形して形成され、取付け枠９に凹設された嵌入溝９１に嵌着される戸当り材Ａであって、該戸当り材Ａは、戸当り部１と、該戸当り部１に連設され、上記嵌入溝９１に嵌入される左右２条の嵌入部２、３からなるとともに、各嵌入部２、３は支持脚部２１、３１と、この支持脚部２１、３１の先端部から内方に延出するアーム部２２、３２と、このアーム部２２、３２の先端からＶ字を形成するように斜めに延設された２つの傾斜片２３、３３とから構成されることを特徴とする戸当り材である。このように左右２条の嵌入部２、３を、各支持脚部２１、３１から延出するアーム部２２、３２およびその先端に延設される傾斜片２３、３３から構成して左右別体とし、嵌入溝９１に嵌入すると、それぞれが独立して容易に弾性変形するため、嵌入溝９１に簡単に嵌入することができる。
【００１４】
請求項２に記載の発明は、上記合成樹脂として、ＡＢＳ樹脂が用いられる。このようにすることによって、請求項１に記載の発明の効果に加えて、強度に優れるとともに、弾性もあり、耐クリープ性に優れる等、機械的な特性がバランスした戸当り材Ａを得ることができる。
【００１５】
請求項３に記載の発明は、上記嵌入溝９１に予め接着剤４を塗布した後、戸当り材Ａが嵌入される。このように接着剤４を用いることにより、請求項１に記載の発明の効果に加えて、嵌入するとともに、接着させるため、嵌入部２、３を嵌入溝９１にしっかりと嵌着することができる。
【００１６】
請求項４に記載の発明は、上記取付け枠９がドア取付け枠とされる。ドア取付け枠に凹設した嵌入溝９１に嵌入部２、３を嵌着することにより、請求項１に記載の発明の効果に加えて、スイングドアを閉めたときの衝撃を緩和することができる。
【００１７】
請求項５に記載の発明は、上記取付け枠９が引戸取付け枠とされる。引戸取付け枠に凹設した嵌入溝９１に嵌入部２、３を嵌着することにより、請求項１に記載の発明の効果に加えて、引戸を閉めたときの衝撃を緩和することができる。
【図面の簡単な説明】
【図１】本発明の戸当り材を嵌入溝に嵌入した状態を示す平断面図である。
【図２】（ａ）、（ｂ）、（ｃ）本発明の戸当り材を嵌入溝に嵌入する動作を示す平断面図である。
【図３】本発明の戸当り材を、予め、接着剤を塗布した嵌入溝に嵌入する状態を示す平断面図である。
【図４】公知の戸当り材を嵌入溝に嵌入した状態を示す平断面図である。
【符号の説明】
１          本発明の戸当り材における戸当り部
２          本発明の戸当り材における左嵌入部
２１        左支持脚部
２２        左アーム部
２３        左傾斜部
２４        左係止爪
３          本発明の戸当り材における右嵌入部
３１        右支持脚部
３２        右アーム部
３３        右傾斜部
３４        右係止爪
４          接着剤
５          公知の戸当り材における戸当り部
６          公知の戸当り材における左支持脚部
７          公知の戸当り材における右支持脚部
８          公知の戸当り材における伸縮部
９          取付け枠
９１        嵌入溝
Ａ          本発明の戸当り材
Ｂ          公知の戸当り材
【図１】
2004176272.tif 000003
【図２】
2004176272.tif 000004
【図３】
2004176272.tif 000005
【図４】
2004176272.tif 000006